(57)【要約】      （修正有）【課題】着用が容易で、雨天時（特に低温雨天時）下であっても、着用者の体温低下を優位に防ぐことができ、着用状態でも移動や作業が容易な災害用外套を提供する。【解決手段】本考案に係る災害用外套１は、所定のカバー部Ａと着用者の頭部が貫通する頭部開口部Ｂとをから構成されている。更に、係合部Ｃを備え、前記カバー部が長尺側方向に切れ目ａ１を有し、当該切れ目に沿って、前記係合部を備える。また、前記係合部が、ボタンとボタン穴、雄ホックと雌ホック、クリップ、面ファスナーおよび一対のファスナーストリンガーとスライダー、からなる群から選択される少なくとも１つであることを特徴とする。【選択図】図１
0003232642.tif 000002
【実用新案登録請求の範囲】
【請求項１】
着用者の少なくとも上半身を覆うカバー部（Ａ）と着用者の頭部が貫通する頭部開口部（Ｂ）とをから構成されていることを特徴とする災害用外套。
【請求項２】
更に、係合部（Ｃ）を備え、
前記カバー部（Ａ）が長尺側方向に切れ目（ａ１）を有し、
当該切れ目（ａ１）に沿って、前記係合部（Ｂ）を備えることを特徴とする請求項１に記載の災害用外套
【請求項３】
前記係合部（Ｂ）が、ボタンとボタン穴、雄ホックと雌ホック、クリップ、面ファスナーおよび一対のファスナーストリンガーとスライダー、からなる群から選択される少なくとも１つであることを特徴とする請求項２に記載の災害用外套。
【考案の詳細な説明】
【技術分野】
【０００１】
本考案は、災害用外套に関し、詳しくは、着用が容易であるとともに、雨天時（特に低温雨天時）下であっても、着用者の体温低下を優位に防ぐことができ、着用状態でも移動や作業が容易な災害用外套に関する。
【背景技術】
【０００２】
災害時において、被災者は、避難所などで安全を確保しつつ、復旧を待つことが通常であるが、避難所の設備の充実度や想定外の事情（たとえば、電源喪失）によっては、十分に健康状態を維持しつつ、復旧まで待機することができない場合がある。
【０００３】
特に、災害時に天候不順（たとえば降雨・降雪状態および／または低温下）においては、被災者の体温を低下することもあり、場合によっては、低体温症など生命の危機に関わる恐れもある。
【０００４】
たとえば、非特許文献１は、アルミ蒸着ポリエステルからなる非常用携帯アルミブランケットを開示する。このブランケットは、災害時において、被災者の体温低下防止（体温維持）に効果発揮するものである。
【先行技術文献】
【非特許文献】
【０００５】
【非特許文献１】http://www.smile-asahi.co.jp/abo-09.html
【考案の概要】
【考案が解決しようとする課題】
【０００６】
しかしながら、上記ブランケットは、体温維持効果を有効に発揮するには、被災者が外気に直接触れないような状態で使用する必要があるため、被災直後の混乱した状況においては、容易に、体温維持効果を発揮できるように使用できないものであった。
【０００７】
また、上記ブランケットを着用した状態においては、移動（たとえば徒歩）や作業をすることが難しく、特に、復旧作業者にとっては、その作業中に使用することは容易ではないといえる。
【０００８】
そこで、本考案者は、従来の体温維持を目的とした災害用品（ブランケットなど）の課題について鋭意検討した結果、着用者の頭部が貫通する頭部開口部を有することで、上述の課題を解決できることを見出した。
【０００９】
すなわち、本考案は、着用が容易であるとともに、雨天時（特に低温雨天時）下であっても、着用者の体温低下を優位に防ぐことができ、着用状態でも移動や作業が容易な災害用外套を提供することを目的とする。
【課題を解決するための手段】
【００１０】
本考案に係る災害用外套は、着用者の少なくとも上半身を覆うカバー部（Ａ）と着用者の頭部が貫通する頭部開口部（Ｂ）とをから構成されていることを特徴とする。
【００１１】
また、本考案の災害用外套においては、更に、係合部（Ｃ）を備え、
前記カバー部（Ａ）が長尺側方向に切れ目（ａ１）を有し、
当該切れ目（ａ１）に沿って、前記係合部（Ｂ）を備えることが好ましい。
さらに、本考案の災害用外套においては、前記係合部（Ｂ）が、ボタンとボタン穴、雄ホックと雌ホック、クリップ、面ファスナーおよび一対のファスナーストリンガーとスライダー、からなる群から選択される少なくとも１つであることが好ましい。
【図面の簡単な説明】
【００１２】
【図１】図１は、本考案に係る災害用外套の一態様を示すための図である。
【００１３】
ここで、図１（Ａ）は、切れ目（ａ１）が係合部（Ｂ）によって結合されていない状態（開放状態）を示し、図１（Ｂ）は、切れ目（ａ１）が係合部（Ｂ）によって結合された状態（連結状態）を示している。
【考案を実施するための形態】
【００１４】
以下、本考案に係る災害用外套について、適宜図面を参照しながら、詳細に説明する。
【００１５】
本考案に係る災害用外套は、災害時に使用される外套（たとえば、ポンチョ様の外套）であって、より具体的には、避難所などにおいて体温維持（体温の低下防止）を目的として、被災者あるいは作業者に好適に使用されるものである。
【００１６】
本考案に係る災害用外套は、カバー部Ａと頭部開口部Ｂとを必須構成要件として備え、図１（Ａ）の付番１に示されるように、係合部Ｃなど、必要に応じてその他の部材などを有していてもよい。
【００１７】
ここで、カバー部Ａは、着用者の少なくとも上半身を覆う程度の大きさを有しており、望ましくは、下半身も覆う程度の大きさを有している。また、この材質は、特に限定されるものではなく、使用目的などに応じて適宜選択できる。たとえば、ナイロン、ポリエステルなどの合成繊維であることが好ましい。また、使用者の保温効果や防水効果を向上させるという観点から、アルミニウムなどの金属蒸着面を有する積層シートからなるものであることが望ましい。
【００１８】
また、防水効果を向上させるという観点からは、カバー部Ａの外側面（外気に曝される面）に撥水処理などが施されていてもよい。
【００１９】
カバー部Ａは、図１（Ａ）に示されるように、係合部Ｃを備え、前記カバー部（Ａ）が長尺側方向に切れ目（ａ１）を有し、当該切れ目（ａ１）に沿って、前記係合部（Ｂ）を備えることが好ましい。縦方向である長尺側方向（着用者の上下方向。）に切れ目ａ１と係合部Ｃを有していることで、容易に着脱できるという効果を発揮する。
【００２０】
図１（Ａ）の付番Ｂは、頭部開口部を示す。この頭部開口部Ｂは、着用者の頭部が貫通するための開口である。すなわち、この開口部に着用者の頭部を通して、本考案に係る災害用外套を着用する。
【００２１】
また、本考案に係る災害用外套と、通常の傘を用いて、テント様の構造物を構築できる。具体的には、傘の柄を頭部開口部Ｂに挿入することで、頭部開口部Ｂの上部に傘が覆う状態となる。たとえば、災害時（特に、雨天時）において、簡易的なテントとして使用することができる。このような使用態様は、通常のテントに比べて、以下のようなメリットがある。
（１）構造上簡易なものであるため、骨組みを組み立てるような煩雑な作業を必要とない上に、容易に撤去できる点
（２）本考案に係る災害用外套も通常の傘も、畳んだ状態では、さほど嵩張らないため、持ち運びが容易であるといった、収納性や携帯性など、防災用品として優れている点。
（３）特別な加工などを必要としないで、通常の傘をそのまま使用できるため、無駄がない上に、経済性に優れ、手軽に利用できる点。
（４）特に、緊急時（たとえば、災害時に急に雨が降ってきた場合など）において、迅速にテントとして機能するといった即時性に優れる点
【００２２】
また、カバー部Ａの材質は、上述のように、特に限定されるものではなく、使用目的などに応じて適宜選択できるものであるが、たとえば、メッシュ素材などであれば、蚊などによる虫刺されを防止する機能を発揮し、蚊帳のように虫よけとして、あるいは、通気性を維持しつつ皮膚への直射日光の照射を低減できる機能を発揮するため日よけとしても使用できる。このような構成にすることで、特に、夏場の災害時においては有効である。
【００２３】
また、カバー部Ａが、外部から見えないような素材で構成されている場合、乳幼児への授乳の際、あるいは着替えの際において、目隠しとしても機能する。また、同様な構成で、災害用トイレの際の目隠しとしても使用できる。
【００２４】
通常の災害用品は、復旧後、廃棄されることもあるが、本考案に係る災害用外套を、温室、ビニールハウスの代用として使用することもできる。すなわち、家庭菜園などにおいて、簡易のビニールハウス、温室の材料として使用することもできる。
【００２５】
図１（Ａ）の付番Ｃは係合部を示す。この係合部は、図１（Ａ）に示されるように、切れ目ａ１に沿って配置されている。着用者は、開口部Ｃに頭部を通した後、図１（Ｂ）の付番ａ２に示されるように、当該切れ目ａ１を係合部Ｃにより閉じることで着用する。
【００２６】
ここで、係合部Ｃは、従来からある着脱可能な手段であれば特に限定されないが、たとえば、ボタンとボタン穴、雄ホックと雌ホック、クリップ、面ファスナーおよび一対のファスナーストリンガーとスライダーなどを単独で又は複数で用いることができる。
【００２７】
なお、図１（Ａ）では、係合部Ｂは、面ファスナー（たとえば、マジックテープ（登録商標）など）を示している。
【産業上の利用可能性】
【００２８】
本考案によれば、着用が容易であるとともに、雨天時（特に低温雨天時）下であっても、着用者の体温低下を優位に防ぐことができ、さらには、着用状態でも移動や作業が容易な災害用外套を提供することできる。そのため、防災・減災用品に関する産業においての利用価値が高い考案であるといえる。
【符号の説明】
【００２９】
１、２：本考案に係る災害用外套
Ａ：カバー部
Ｂ：頭部開口部
Ｃ：係合部
ａ１：  切れ目
【図１】
0003232642.tif 000003
【手続補正書】
【提出日】令和3年4月24日(2021.4.24)
【手続補正１】
【補正対象書類名】実用新案登録請求の範囲
【補正対象項目名】全文
【補正方法】変更
【補正の内容】
【実用新案登録請求の範囲】
【請求項１】
着用者の少なくとも上半身を覆うカバー部（Ａ）と着用者の頭部が貫通する頭部開口部（Ｂ）とをから構成されていることを特徴とする災害用外套。
【請求項２】
更に、係合部（Ｃ）を備え、
前記カバー部（Ａ）が長尺側方向に切れ目（ａ１）を有し、
当該切れ目（ａ１）に沿って、前記係合部（Ｃ）を備えることを特徴とする請求項１に記載の災害用外套
【請求項３】
前記係合部（Ｃ）が、ボタンとボタン穴、雄ホックと雌ホック、クリップ、面ファスナーおよび一対のファスナーストリンガーとスライダー、からなる群から選択される少なくとも１つであることを特徴とする請求項２に記載の災害用外套。
【手続補正２】
【補正対象書類名】明細書
【補正対象項目名】全文
【補正方法】変更
【補正の内容】
【考案の詳細な説明】
【技術分野】
【０００１】
本考案は、災害用外套に関し、詳しくは、着用が容易であるとともに、雨天時（特に低温雨天時）下であっても、着用者の体温低下を優位に防ぐことができ、着用状態でも移動や作業が容易な災害用外套に関する。
【背景技術】
【０００２】
災害時において、被災者は、避難所などで安全を確保しつつ、復旧を待つことが通常であるが、避難所の設備の充実度や想定外の事情（たとえば、電源喪失）によっては、十分に健康状態を維持しつつ、復旧まで待機することができない場合がある。
【０００３】
特に、災害時に天候不順（たとえば降雨・降雪状態および／または低温下）においては、被災者の体温を低下することもあり、場合によっては、低体温症など生命の危機に関わる恐れもある。
【０００４】
たとえば、非特許文献１は、アルミ蒸着ポリエステルからなる非常用携帯アルミブランケットを開示する。このブランケットは、災害時において、被災者の体温低下防止（体温維持）に効果発揮するものである。
【先行技術文献】
【非特許文献】
【０００５】
【非特許文献１】http://www.smile-asahi.co.jp/abo-09.html
【考案の概要】
【考案が解決しようとする課題】
【０００６】
しかしながら、上記ブランケットは、体温維持効果を有効に発揮するには、被災者が外気に直接触れないような状態で使用する必要があるため、被災直後の混乱した状況においては、容易に、体温維持効果を発揮できるように使用できないものであった。
【０００７】
また、上記ブランケットを着用した状態においては、移動（たとえば徒歩）や作業をすることが難しく、特に、復旧作業者にとっては、その作業中に使用することは容易ではないといえる。
【０００８】
そこで、本考案者は、従来の体温維持を目的とした災害用品（ブランケットなど）の課題について鋭意検討した結果、着用者の頭部が貫通する頭部開口部を有することで、上述の課題を解決できることを見出した。
【０００９】
すなわち、本考案は、着用が容易であるとともに、雨天時（特に低温雨天時）下であっても、着用者の体温低下を優位に防ぐことができ、着用状態でも移動や作業が容易な災害用外套を提供することを目的とする。
【課題を解決するための手段】
【００１０】
本考案に係る災害用外套は、着用者の少なくとも上半身を覆うカバー部（Ａ）と着用者の頭部が貫通する頭部開口部（Ｂ）とをから構成されていることを特徴とする。
【００１１】
また、本考案の災害用外套においては、更に、係合部（Ｃ）を備え、
前記カバー部（Ａ）が長尺側方向に切れ目（ａ１）を有し、
当該切れ目（ａ１）に沿って、前記係合部（Ｃ）を備えることが好ましい。
さらに、本考案の災害用外套においては、前記係合部（Ｃ）が、ボタンとボタン穴、雄ホックと雌ホック、クリップ、面ファスナーおよび一対のファスナーストリンガーとスライダー、からなる群から選択される少なくとも１つであることが好ましい。
【図面の簡単な説明】
【００１２】
【図１】図１は、本考案に係る災害用外套の一態様を示すための図である。
【００１３】
ここで、図１（Ａ）は、切れ目（ａ１）が係合部（Ｃ）によって結合されていない状態（開放状態）を示し、図１（Ｂ）は、切れ目（ａ１）が係合部（Ｃ）によって結合された状態（連結状態）を示している。
【考案を実施するための形態】
【００１４】
以下、本考案に係る災害用外套について、適宜図面を参照しながら、詳細に説明する。
【００１５】
本考案に係る災害用外套は、災害時に使用される外套（たとえば、ポンチョ様の外套）であって、より具体的には、避難所などにおいて体温維持（体温の低下防止）を目的として、被災者あるいは作業者に好適に使用されるものである。
【００１６】
本考案に係る災害用外套は、カバー部Ａと頭部開口部Bとを必須構成要件として備え、図１（Ａ）の付番１に示されるように、係合部Ｃなど、必要に応じてその他の部材などを有していてもよい。
【００１７】
ここで、カバー部Ａは、着用者の少なくとも上半身を覆う程度の大きさを有しており、望ましくは、下半身も覆う程度の大きさを有している。また、この材質は、特に限定されるものではなく、使用目的などに応じて適宜選択できる。たとえば、ナイロン、ポリエステルなどの合成繊維であることが好ましい。また、使用者の保温効果や防水効果を向上させるという観点から、アルミニウムなどの金属蒸着面を有する積層シートからなるものであることが望ましい。
【００１８】
また、防水効果を向上させるという観点からは、カバー部Ａの外側面（外気に曝される面）に撥水処理などが施されていてもよい。
【００１９】
カバー部Ａは、図１（Ａ）に示されるように、係合部Ｃを備え、前記カバー部（Ａ）が長尺側方向に切れ目（ａ１）を有し、当該切れ目（ａ１）に沿って、前記係合部（C）を備えることが好ましい。縦方向である長尺側方向（着用者の上下方向。）に切れ目ａ１と係合部Ｃを有していることで、容易に着脱できるという効果を発揮する。
【００２０】
図１（Ａ）の付番Ｂは、頭部開口部を示す。この頭部開口部Ｂは、着用者の頭部が貫通するための開口である。すなわち、この開口部に着用者の頭部を通して、本考案に係る災害用外套を着用する。
【００２１】
また、本考案に係る災害用外套と、通常の傘を用いて、テント様の構造物を構築できる。具体的には、傘の柄を頭部開口部Ｂに挿入することで、頭部開口部Ｂの上部に傘が覆う状態となる。たとえば、災害時（特に、雨天時）において、簡易的なテントとして使用することができる。このような使用態様は、通常のテントに比べて、以下のようなメリットがある。
（１）構造上簡易なものであるため、骨組みを組み立てるような煩雑な作業を必要とない上に、容易に撤去できる点
（２）本考案に係る災害用外套も通常の傘も、畳んだ状態では、さほど嵩張らないため、持ち運びが容易であるといった、収納性や携帯性など、防災用品として優れている点。
（３）特別な加工などを必要としないで、通常の傘をそのまま使用できるため、無駄がない上に、経済性に優れ、手軽に利用できる点。
（４）特に、緊急時（たとえば、災害時に急に雨が降ってきた場合など）において、迅速にテントとして機能するといった即時性に優れる点
【００２２】
また、カバー部Ａの材質は、上述のように、特に限定されるものではなく、使用目的などに応じて適宜選択できるものであるが、たとえば、メッシュ素材などであれば、蚊などによる虫刺されを防止する機能を発揮し、蚊帳のように虫よけとして、あるいは、通気性を維持しつつ皮膚への直射日光の照射を低減できる機能を発揮するため日よけとしても使用できる。このような構成にすることで、特に、夏場の災害時においては有効である。
【００２３】
また、カバー部Ａが、外部から見えないような素材で構成されている場合、乳幼児への授乳の際、あるいは着替えの際において、目隠しとしても機能する。また、同様な構成で、災害用トイレの際の目隠しとしても使用できる。
【００２４】
通常の災害用品は、復旧後、廃棄されることもあるが、本考案に係る災害用外套を、温室、ビニールハウスの代用として使用することもできる。すなわち、家庭菜園などにおいて、簡易のビニールハウス、温室の材料として使用することもできる。
【００２５】
図１（Ａ）の付番Ｃは係合部を示す。この係合部は、図１（Ａ）に示されるように、切れ目ａ１に沿って配置されている。着用者は、開口部Ｃに頭部を通した後、図１（Ｂ）の付番ａ２に示されるように、当該切れ目ａ１を係合部Ｃにより閉じることで着用する。
【００２６】
ここで、係合部Ｃは、従来からある着脱可能な手段であれば特に限定されないが、たとえば、ボタンとボタン穴、雄ホックと雌ホック、クリップ、面ファスナーおよび一対のファスナーストリンガーとスライダーなどを単独で又は複数で用いることができる。
【００２７】
なお、図１（Ａ）では、係合部Ｃは、面ファスナー（たとえば、マジックテープ（登録商標）など）を示している。
【産業上の利用可能性】
【００２８】
本考案によれば、着用が容易であるとともに、雨天時（特に低温雨天時）下であっても、着用者の体温低下を優位に防ぐことができ、さらには、着用状態でも移動や作業が容易な災害用外套を提供することできる。そのため、防災・減災用品に関する産業においての利用価値が高い考案であるといえる。
【符号の説明】
【００２９】
１、２：本考案に係る災害用外套
Ａ：カバー部
Ｂ：頭部開口部
Ｃ：係合部
ａ１：  切れ目